(57)【要約】      （修正有）【課題】ステアリングの有角的な停止がもたらす過度の衝撃の発生を防止することができ、信頼性に優れた二輪車用ステアリングアセンブリを提案する。【解決手段】二輪車用ステアリングアセンブリは、フレームに固定されて旋回軸ｘを定義するヘッドチューブ１２と、ヘッドチューブを通って旋回して装着され、一方をハンドルバーに、他方をフォークに接続されたステアリングロッド１４とを備える。トルク生成装置は、ステアリングアセンブリの内側の空間に配置されてステアリングロッド１４を包囲する弾性的に変形可能な部品３２を備える。変形可能な部品は、ステアリングロッド１４が直線の進行に対応するニュートラル角度位置に対して少なくとも一定の角度を通って旋回する時に、旋回軸の周りに回復トルクを生成するために、ヘッドチューブ１２と連携する第１部３３とステアリングロッド１４と連携する第２部３４とを有する。【選択図】図３
2011213344.tif 000002
【特許請求の範囲】
【請求項１】
フレーム（２）と、ハンドルバー（５）と、ステアリング前輪を保持するフォーク（４）とを備えた二輪車用ステアリングアセンブリは、
前記フレームに固定されて旋回軸（Ｘ）を定義するヘッドチューブ（１２）と、
前記ヘッドチューブを通って旋回して装着され、一方を前記ハンドルバーに、他方を前記フォークに接続されたステアリングロッド（１４）と、
直線の進行に一致するニュートラル角度位置に向かって回復トルクを生成可能な装置と、
を備え、
前記トルク生成装置は、前記ステアリングアセンブリ（７）の中の空間（３０）に配置されてステアリングロッド（１４）を包囲する弾性的に変形可能な部品（３２）を備え、前記弾性的に変形可能な部品は、ステアリングロッド（１４）が前記ニュートラル角度位置に対して少なくとも一定の角度まで旋回する時に、旋回軸の周りに回復トルクを生成するために、ヘッドチューブ（１２）と連携する第１部（３３）とステアリングロッド（１４）と連携する第２部（３４）とを有し、
前記弾性的に変形可能な部品（３２）を収納する前記内部空間（３０）は、前記ヘッドチューブ（１２）の最大区分を超過しないことを特徴とするステアリングアセンブリ。
【請求項２】
前記弾性的に変形可能な部品（３２）は、基本的にエラストマーから作られることを特徴とする、請求項１に記載のステアリングアセンブリ。
【請求項３】
前記弾性的に変形可能な部品（３２）は、前記旋回軸（Ｘ）に対して主に周方向に変形することを特徴とする、請求項１または２に記載のステアリングアセンブリ。
【請求項４】
前記内部空間（３０）は、下環状壁（１８）と、前記弾性的に変形可能な部品（３２）に近接して前記旋回軸（Ｘ）上に長手方向に固定された上環状壁（２６）とにより長手方向に区切られることを特徴とする、請求項１〜３のいずれか１項に記載のステアリングアセンブリ。
【請求項５】
前記内部空間（３０）は、前記内部空間の高さと少なくとも同じ高さを越えて前記弾性的に変形可能な部品（３２）に近接して長手方向に延伸する、スカート（２８）によって放射状に外側に向かって区切られることを特徴とする、請求項１〜４のいずれか１つに記載のステアリングアセンブリ。
【請求項６】
前記弾性的に変形可能な部品（３２）の前記第１および第２接続部（３３、３４）は、正反対に向かい合うことを特徴とする、請求項１〜５のいずれか１項に記載のステアリングアセンブリ。
【請求項７】
前記弾性的に変形可能な部品（３２）の前記第１および第２接続部の一方（３４）は、前記ヘッドチューブと前記ステアリングロッドの一方（１４）に調節可能に取り付けられる留め具（４０）と連携することを特徴とする、請求項１〜６のいずれか１項に記載のステアリングアセンブリ。
【請求項８】
前記弾性的に変形可能な部品（３２）は、前記第１および第２接続部（３３，３４）の高さで第１および第２形状（３５ａ，３６ａ）を有する通常平面の長手面（３５，３６）を有するリング形状で提示され、前記形状に補完的な形を有する第１および第２留め具（１９；２７）は、それぞれヘッドチューブまたはステアリングロッド（１２；１４）に固定されることを特徴とする、請求項１〜７のいずれか１項に記載のステアリングアセンブリ。
【請求項９】
前記弾性的に変形可能な部品（３２）は、通常円弧を形成し、好ましくは前記内部空間（３０）の壁に接触する拡大部分の中央部（３９）を有する少なくとも２つの別個の弾性要素（３７，３８）を含むことを特徴とする、請求項１〜７のいずれか１項に記載のステアリングアセンブリ。
【請求項１０】
前記弾性的に変形可能な部品（３２）によって生成される前記回復トルクは、最大ステアリングロック角度に対して１５度よりも小さい角変位では少なくとも５Ｎ/ｍであることを特徴とする、請求項１〜９のいずれか１項に記載のステアリングアセンブリ。
【請求項１１】
前記回復トルクは、ステアリングのニュートラル位置に対するステアリングロッド（１４）の角変位の機能としての正比例法に従うよりも増加することを特徴とする、請求項１〜１０のいずれか１項に記載のステアリングアセンブリ。
【請求項１２】
前記弾性的に変形可能な部品（３２）によって生成される前記回復トルクは、前記ニュートラル位置に対して２０度の角変位では２Ｎ/ｍ未満であることを特徴とする、請求項１〜１１のいずれか１項に記載のステアリングアセンブリ。
【請求項１３】
フレーム（２）と、ハンドルバー（５）と、ステアリング前輪（３）を保持するフォーク（４）とを備えた自転車であって、請求項１〜１２のいずれか１項のステアリングアセンブリ（７）を備えることを特徴とする自転車。
【発明の詳細な説明】
【技術分野】
【０００１】
本発明は、自動二輪車または自転車の、二輪車用ステアリングシステム、特に、ステアリングのニュートラル位置に向けて回復トルクを生成することのできるステアリングシステムに関するものである。
より具体的には、本発明は、フレームと、ハンドルバーと、前輪を支えるフォークとを備えた二輪車用ステアリングアセンブリであり、
前記フレームに固定されて旋回軸を定義するヘッドチューブと、
前記ヘッドチューブを通して旋回して取り付けられ、一方が前記ハンドルバーに接続され、他方が前記フォークに接続されたステアリングロッドと、
回復トルクを生成可能な装置と、
を備えた二輪車に関するものである。
【背景技術】
【０００２】
前輪をステアリングの直線進行が可能なニュートラル位置に再調整する目的で、自転車またはオートバイ等、二輪車に弾性回復装置を備えることは周知である。これは、ユーザがこの位置に戻すことを可能な限り容易にすること、または、さらにユーザがハンドルバーを手放した時にこのステアリングのニュートラル位置を維持することを目的とする。
【０００３】
この周知のシステムは、ほとんどの場合、一端をフレームに固定され、他端をフォークに固定されたばね型弾性部品を用いて作成される。従って、これらは見た目が魅力的ではないこととは別に、可視システムであって損傷を受けることがある。また、二輪車の安定性は、ニュートラル位置に対してずれた位置に向かってトルクを生成することにより損なわれることがある。
【０００４】
さらに、ニュートラル位置に戻る既存のシステムは、本発明者により発見された他の問題を満足に解決するためには不適切であることを示している。この問題は、二輪車のステアリングが比較的急に最大ステアリングロック位置の一つに達した時に、ステアリング自体がステアリングの角度振幅を制限する留め具を有するため、またはフォークと共に可動な部品がフレームを押し付けて停止するために生じる。当然、この停止はユーザにとって不快なものであり、接触する部品をわずかに損傷させることもある。この停止現象はまた、自転車を降りたユーザがステアリングの安定を確実にせずに自転車をスタンドに立てたときに、自転車が倒れる結果となることがある。この現象が目立つのは、自転車がフォークと共に可動な前カゴを有して荷物が入っている時、または自転車がスタンドに載せられたときに前輪が地面から離れるようにスタンドがデザインされている場合である。
【０００５】
本発明の目的は、特にステアリングの有角的な停止が過度の衝撃の発生を防止することを可能にする改良されたアセンブリを作成し、可能な限り信頼性があり見た目の良い装置を提供することである。
【発明の概要】
【課題を解決するための手段】
【０００６】
この目的を達成するために、本発明の目的は、上記の種類の二輪車のステアリングアセンブリを提供することであり、トルク生成装置は、ステアリングアセンブリの内部空間に配置されてステアリングロッドを包囲する弾性的に変形可能な部品を備え、前記弾性的に変形可能な部品は、ステアリングロッドが直線的進行に一致するニュートラル角度位置に対して少なくとも一定の角度を通って旋回する時に、旋回軸の周りに復元トルクを生成するために、ヘッドチューブと連携する第１部と、ステアリングロッドと連携する第２部とを有し、前記弾性的に変形可能な部品を収納する前記内部空間は、ヘッドチューブの最大区分を越えない。
【０００７】
前記弾性的に変形可能な部品が、前記内部卯空間に収納されているという事実は、この部品を不可視にして、ほとんどの損傷の危険から保護する。この内部空間がヘッドチューブでなくロッドを包囲するという事実は、装置の小型化に貢献する。
【０００８】
しかし、さらに、比較的閉ざされた空間のこの状態は、特に以下に詳述する選択的構成をある程度適用することにより、この弾性部品が受ける変形の程度を制限することを可能とする。従って、ステアリングが最大ステアリングロック角度に接近した時に相当な回復トルクを生成することが可能となる一方、弾性部品の恒久的変形のリスクを制限する。
【０００９】
好ましい実施例では、１つ以上の下記の構成を利用することができる。
【００１０】
弾性的に変形可能な部品は、基本的にはエラストマーから作られる。この素材は、価格が安いこととは別に、最大ステアリングロック角度に接近した時に、特に圧縮状態で回復トルクをかなり高めることを可能にする非線形強度特性を有する。さらに、エラストマー部品を取り付けることは、配置時に特にプレストレスもしくは固定をする必要がないため、簡単であることを示す。エラストマーはまた、広範囲の剛性を有する利点があり、弾性部品の形を補正することなしに使用に応じて回復トルクを調整することを可能にする。
【００１１】
弾性的に変形可能な部品は、旋回軸に対して主に周方向、すなわち、生成されたトルクと一致する方向に変形し、これにより回復トルクの優れた制御を可能にし、装置を小型にする利点を示す。
【００１２】
前記内部空間は、下環状壁と、弾性的に変形可能な部品に近接して旋回軸上に長手方向に固定された上環状壁とにより長手方向に区切られるため、長手方向の変形が制限される。
【００１３】
前記内部空間は、前記内部空間の高さと少なくとも同等な高さを越えて弾性的に変形可能な部品に近接して長手方向に延伸するスカートにより、外側へ放射状に区切られる。これにより、前記スカートは弾性的に変形可能な部品を保護するのみならずその変形を制限することを可能にする。
【００１４】
弾性的に変形可能な部品の第１および第２接続部は、完全に向かい合っており、これにより装置を完全に対象とし、従って左側または右側ステアリングロックの場合に回復トルクを等しくする。
【００１５】
弾性的に変形可能な部品の一部は、ヘッドロッドとステアリングロッドの一方に調節可能に取り付けられた留め具と連携する。従って、特にニュートラル角度位置に近接した回復トルクを増加させるために弾性部材にプレストレスを行うことが可能となる。この構成はまた、エラストマーの場合、この種の素材の一連の圧縮後の圧縮による遊びの発生を防ぐために特に有益である。
【００１６】
弾性的に変形可能な部品は、第１および第２接続部の高さに第１および第２形状を備えた、通常は平面の縦面を有するリング状で提示され、この形状に補足的形状の第１および第２留め具は、ヘッドチューブおよびステアリングロッドにそれぞれ固定される。第１および第２部品の補足的形状は、ニュートラル位置に対する任意の角変位を伝達し、それによりトルク生成装置は、ステアリングロック停止の衝撃を弱める機能に加えて、ニュートラル位置に戻す機能を実行する。
【００１７】
弾性的に変形可能な部品は、通常円弧状で好ましくは内部空間の壁と接触する拡大された中心部を有する、少なくとも２つの弾性部材を含む。このことは、摩擦によりこれらを内部空間で保持することを可能とする。
【００１８】
弾性的に変形可能な部品によって生成される回復トルクは、最大ステアリングロック固定角度に対して１５度以下の角変位では、少なくとも５Ｎ/ｍである。これは、停止位置の到着をかなり実質的に緩和するためである。
【００１９】
回復トルクは、ニュートラルステアリング位置に対するステアリングロッドの角変位の機能として正比例法に従うよりも増加する。このことは、二輪車に乗る感覚にほんのわずかの影響を及ぼす一方で、広いステアリングロック角度の緩和を促進することを可能にする。
【００２０】
弾性的に変形可能な部品によって生成される回復トルクは、ニュートラル位置に対して２０度の角変位では、２Ｎ/ｍ以下である。従って、ほとんどの日常的な交通状況で二輪車に乗ることにほとんど影響を与えず、位相適応を要しない。
【００２１】
他の特長や利点は、以下の図を参照して、好ましい実施例の非制限的を例示する目的で  与えられた下記説明から明らかとなるであろう。
【図面の簡単な説明】
【００２２】
【図１】本発明によるステアリングアセンブリを備えた自転車の部分図である。
【図２】図1のステアリングアセンブリの長手方向断面図である。
【図３】図１のステアリングアセンブリの部分分解図である。
【図４】他の実施例の下方から見た部分断面図である。
【発明を実施するための形態】
【００２３】
異なる図面において、同じ符号は、同一もしくは類似する部品を示す。
【００２４】
図１は、フレーム２と、フォーク４に支持された前輪３と、軸６に支持されたハンドルバー５とを備える自転車１の前部を示す。これは、電気ペダル支援を任意に備えたオートバイまたは自転車型の二輪車である。しかし、例えばスクーターまたは軽二輪自動車等の他のタイプの二輪車であっても良いことを、明細書の注意書きから理解するべきである。
【００２５】
ステアリングアセンブリ７は、車輪３、フォーク４、軸６およびハンドルバー５による、旋回軸と呼ばれるＸ軸を中心とした旋回により、ステアリングを確保する。安定性に対する周知の理由により、旋回軸Ｘは垂直位置に対してわずかに曲がっている。それにもかかわらず、ある使用状況では、この傾きは二輪車のステアリングが重力により右側または左側最大ステアリングロック角度に向かって傾くという欠点がある。この現象は、例えば自転車１がスタンドに載せられた時にステアリング車輪３が地面に接触しなくなる時に、旋回軸Ｘに対する車輪３の重力中心がずれることによって生じる。この現象は、旋回軸Ｘに対してずれた荷重の存在に起因して増幅する。これは特に、図示するように、フォーク４と軸６と共に可動なカゴ９に荷物が入っている場合である。
【００２６】
ステアリングの重力による傾きは、おおむね著しいジャークを引き起こす。使用中、他の原因はステアリングのこの停止を引き起こし、これは不快感とは他に、自転車を損傷し、さらに転倒させることがある。
【００２７】
ステアリングアセンブリ７はまた、この問題の克服を可能にする。図２，３からより明らかであるように、ステアリングアセンブリ７は、フレーム２に固定され旋回軸Ｘを定義するためこの軸に沿って配置された、垂直チューブともよばれるヘッドチューブ１２を備える。「チューブ」という用語は、1つ以上の箇所が多少長い中空体を意味する。しかし、これは円筒形または一定の外面または内面を示さなければならないものではまったくない。
【００２８】
ステアリングアセンブリ７は、チューブ１２を貫通してこの中でＸ軸を中心に旋回するステアリングロッド１４を備える。「ロッド」という用語は、非中空体または１個体を意味するものではない。これは、実施例に示すように、管状体であり、外面は必ずしも円筒形または一定ではない。図示された実施例によると、図３では上部のみを示すステアリングロッド１４は、通常通りフォーク４に固定されている。しかし、ステアリングロッド１４が軸６の延長部分であるという場合を排除しない。
【００２９】
ヘッドチューブ１２内のステアリングロッド１４のわずかな力で正確に旋回することが、図２，３に示す上ボールベアリング１６と図示しない下ボールベアリングとによる周知の方法により確保される。これらのボールベアリングは、ステアリングロッド１４の外壁とヘッドチューブ１２の内壁との間で放射状空間を形成する旋回ベアリングを形成する。
【００３０】
上ベアリング１６のボールは、ヘッドチューブ１４に支持された貫通ベアリングカップ１８の上に形成されたトラック、より正確には、ヘッドチューブ１４の内枠をたどる。図示された実施例では、ベアリングカップ１８はヘッドチューブ１２から分離した部品であって単にこの上に載せられているだけであるが、例えば溶接によりチューブ１２に接合されても良い。
【００３１】
尚、ベアリングカップ１８は、図３にはっきり示すように、チューブ１２の上端に形成された補助ノッチ１２ａを有する、図２に示すベアリングカップから突出した突出１８ａの協働によりチューブ１２に関して回転中に固定される。
【００３２】
ベアリングカップ１８は、ロッド１４を包囲し長手方向に固定された下環状壁１８を構成する。内側壁１８の外縁は、部品１９を除く平面環状表面部１８ｂを形成し、上側に向けられる。
【００３３】
相対的に四角いスタッドの形状で提示される留め具は、表面部１８ｂから上方に延伸する。第１留め具１９は、ヘッドチューブ１２に対して回転中に固定される限り、中空等他の形状でもよい。
【００３４】
ボールケージ１６は、テーパーリング１９によりステアリングロッド１４に固定される。スペーサ２２は、テーパーリング２０と、任意でボールケージ１６の上に載せられる。
【００３５】
キャップ２４は、スペーサ２２上に置かれる。キャップ２４はステアリングロッド１４に関して回転中に長手方向に、また軸６と１つの部品としてキャップ２４を作成することにより、固定される。図示された実施例では、ロッド内の開口１４aを貫通し、ステアリングロッド１４上のキャップ２４を固定する作用を働かせるねじ２５により確実に固定する。
【００３６】
例えばロッド１４にねじで留められたナットやカウンターナットのシステム等、他の固定システムも当然可能である。さらに、キャップ２４は実質的に異なる形状であっても良い。図示された実施例では、キャップ２４が、ロッド１４から通常放射状に延伸するいわゆる上環状壁２６を有することが重要である。上環状壁２６は、スペーサ２２にもたれる第１円形面２６ａを有し、これによりステアリングロッド１４のいかなる下向きの動きも阻止する。ステアリングロッド１４の上向きの滑動は、ヘッドチューブ１２の下部、特に下ベアリングの高さで周知の方法で阻止される。
【００３７】
上環状壁２６は、基本的に内壁１８の表面部１８ｂに向いて配置され、下向きに向けられた第２平面円形面部２６ｂを有する。
【００３８】
上環状壁２６は、これに固定された第２留め具２７を有し、その結果、回転時にステアリングロッド１４に対して固定される。図示された実施例では、第２留め具２７は、図２，３に示す破線により範囲限定された、表面部２６ｂからスカート２８に沿って延伸する突起形状で提示される。
【００３９】
キャップ２４は、図示された実施例では、上環状壁２６の外縁から長手方向に下側に延伸する外側スカート２８を有する。スカート２８は、下環状壁１８と上環状壁２６を分離する空間と少なくとも同じ高さよりも延伸して、外側からこの空間を覆うことが好ましい。スカート２８は剛性金属壁であり、この内径はチューブ１２の最大直径よりもわずかに大きい。
【００４０】
スカート２８と、下環状壁１８と、上環状壁２６と、スペーサ２２を有するステアリングロッド１４はとは、ステアリングアセンブリ７の内部空間３０を区切る。ここで、内部空間３０は、第１および第２留め具（１９，２７）の外側で断面が四角いリング状をしている。内部空間３０は、必ずしも密閉されないが、異物の侵入を防ぐ。より具体的には、内部空間３０は、下環状壁１８の管状表面部１８ｂと、上壁２６の表面部２６ｂと、ステアリングロッド１４と単一機能アセンブリを形成しこの１個体として形成可能な、スペーサ２２の放射状外周面により範囲が定められる。尚、内部空間３０は、ヘッドチューブ１２の最大部を越えないため、このチューブに対する著しい隆起を作成する。
【００４１】
ステアリングアセンブリ７は、旋回軸Ｘを中心にトルクを生成することを可能にする装置を形成する弾性的に変形可能な部品３２を備え、これはステアリングのニュートラル角度位置に向かってロッド１４を戻すものであり、ニュートラル位置は車輪がほぼ直線状に動くようにしなければならない。
【００４２】
弾性的に変形可能な部品３２が必要とする空間は、ヘッドチューブ１２の最大部を超過しない。弾性的に変形可能な部品３２は、ステアリングアセンブリ７の内部空間３０に収納されるため、保護される。ここでは、これはステアリングロッド１４を完全に包むリングであり、ステアリングロッド１４とスカート２８の間に配置される。弾性的に変形可能な部品３２は、ヘッドチューブ１２に接続した第１部分（接続部分とも呼ばれる）と、ステアリングロッド１４に接続した第２部３４（接続部分とも呼ばれる）を有することで、ステアリングロッド１２の角度位置がニュートラル位置から離れた時に、弾性的変形により生じる回復トルクを生成する。
【００４３】
弾性的に変形可能な部品を形成するリング３２は、ほぼ平らな上長手面および下長手面（３５，３６）を有する。これらはそれぞれ、第１および第２留め具（１９，２７）に対して正確に補助的な形状をしたノッチ（フォームとも呼ばれる）（３５ａ，３６ａ）を有する。従って、リング３２と留め具の間の遊びがなく、ヘッドチューブとステアリングロッド（１２，１４）の間のニュートラル位置に対するわずかな角変位が変位を、そしてわずかでも回復トルクをもたらす。そのため、トルク生成装置は、ステアリングを直線に戻す機能を果たす。ニュートラル位置への回復を減速させるために、例えばベアリングカップ１８と弾性部品３２の間の波形ワッシャ等、ブレーキ部品を備えることもできる。
【００４４】
それでも、ステアリングが最大ステアリングロック位置に向かって傾く時の衝撃における問題を避けるために、この機能を果たすことが必ずしも不可欠であるとは限らない。従って、１つおよび／または他の留め具（１９，２７）と対応するノッチ（３５ａ，３６ａ）の間の角度的な遊びの位置を予測することは完全に可能である。さらに、弾性的に変形可能な部品を変形させることなく、従ってニュートラル位置を中心とするこの範囲を超える回復トルクを生成することなく、所定の角度範囲を超えた所定の角度変位を可能にする接続をもたらすよう、ヘッドチューブ１２に固定的に接続された第１部３３と、第２留め具を包囲する自由空間の形式の第２部とを有するＣ型に変形する弾性的に変形可能を備えることを予測することは可能である。
【００４５】
一方、最大ステアリングロック角度に向かって傾いた場合の停止現象を避けるために、  これらの角度位置が接近した時に、相対的に高い回復トルクを生成することが重要である。この目的を達成するために、弾性的に変形可能な部品３２が圧力を受けやすく、それにより旋回軸Ｘに関する周方向に変形しやすいことが好ましいことが示される。この場合は通常、この部品が、第１部と第２部（３３，３４）の間でリング３２の形状で提示され、一方が引張応力を受けることにより伸長し、他方が圧迫力を受けることにより第１部と第２部が互いに近づく。
【００４６】
リング３２は、エラストマーから作られる。その端部がチューブとステアリングロッドに別々に接続されたらせん状のばねを介する、金属トルク生成部品の使用も除外されない。その時、回復トルクは、使用される角度範囲を越えた実質的な一定のねじれ剛性によって、旋回角度に正比例する。しかし、エラストマーの使用は、一定のユーザに不快感を与えるニュートラル位置周りの高剛性を有する二輪車のステアリングなしで、最大ステアリングロック角度に近接した高い回復トルクの生成により効果的であることを示している。エラストマー素材の剛性の特性は、非比例法に従い、特に圧迫状態にある時に、ニュートラル位置に対する角変位に直接比例する法に従うよりも、回復トルクのかなりの増加を見ることを可能とする。弾性的に変形可能なリング３２が相対的に調整された内部空間３０に配置されるという事実により、複合効果が得られる。リング３２の圧迫部分がこの空間の壁に接触すると、変形に対する抵抗力がかなり増加する。
【００４７】
例えば、最大ステアリングロック角度の手前１５度の位置に対して少なくとも５Ｎ/ｍの回復トルクを生成するように、エラストマー素材と、リング３２と内部空間３０の幾何学的寸法が選択される。例えば、だいたいの求められるソフトまたはハードな感覚に従って、３０度の角度に対して、５Ｎ/ｍから８Ｎ/ｍとなる。最大ステアリングロック角度は、自転車を損傷することなくユーザが合理的に届く角度に一致する。目安として、最大ステアリングロック角度は、街乗り用自転車では＋／−４５度に限定され、この角度の数度手前では回復トルクは７Ｎ/ｍから１５Ｎ/ｍである。
【００４８】
金属バネを有する回復トルクのこのような値は、通常の交通状況でユーザが不快に感じる相当なねじり剛性とプレストレスを必要とする。同一の弾性的に変形可能なリング３２では、ニュートラル位置前後の＋／−２０度の範囲では回復トルクは２Ｎ/ｍ未満にとどまることが可能である。このような回復トルクは実質上、二輪車の乗用に影響を与えないが、それでもやはりハンドルバーを握らずに進路に留まることを容易にするニュートラル位置に戻す機能を果たすことが可能である。ニュートラル角度位置に近接した回復トルクは、安心感を向上させ、駐輪位置でのステアリングの大きな傾斜を回避する。
【００４９】
上記に示す値は、街中での大人のサイクリングのためにより具体的に決められた好ましい値でしかない。しかし、ステアリングアセンブリ７と図示された実施例の構成は、ユーザまたは使い方によってこれらの値が容易に補正できるようにする。
【００５０】
図２，３からわかるように、弾性的に変形可能な部品３２の第１部と第２部（３３，３４）は、ニュートラル位置では完全に向かい合っている。その結果、変形可能なリング３２の補助的部分は比較的大きくなる。最大ステアリングロック角度は比較的大きいままであるが、留め具（１９，２７）により＋／−１５０度を超えない。しかし、ステアリングロック角度を際立って小さくすることができるのであれば、接続部を増加することは除外されない。部分（３３，３４）の正反対に向かい合う配置は、ステアリングアセンブリ７の右側と左側の動作を完全に左右対称にするために、エラストマーリングの使用と組み合わされる。
【００５１】
図２からわかるように、第１および第２留め具の上端と向かい合う第１および第２環状壁の間の内部空間３０の高さは、これらのゾーンにあるリング、すなわち、この第１部と第２部（３３，３４）の高さにほぼ一致する。長手方向にこれらをわずかに圧迫するために、この高さはさらに、これらの部分（３３，３４）の高さよりもわずかに低くてもよい。これにより、第１および第２留め具（１９，２７）を有するノッチ（３３ａ，３４ａ）のいかなる開放も回避できるため、回復装置の信頼性を増進する。
【００５２】
これらの第１および第２部分の外側では、内部空間３０の高さをリングの高さと合わせる必要はない。さらに、リングの長手面（３５，３６）と上下環状壁（２６，２８）との間で、少なくともステアリングがニュートラル位置にあるときに、遊びを与えることが好ましい。一方、エラストマーリング３２の変形を制限して回復トルクをかなり増加させるために、ステアリングが最大ステアリングロック角度に近接した時に、リングの長手面（３５，３６）が上下環状壁（２６，１８）に接触することが好ましい。
【００５３】
スカート２８の放射状内壁と、ここではスペーサ２２で構成されるステアリングロッド
の放射状外壁にも同様の構成が完全に適用可能である。その後、内部空間３０の幅は、圧迫部分の接点を作るために、リング３２の幅に対して調整される。
【００５４】
図４は他の実施例を示し、弾性的に変形可能な部品３２、ステアリングロッド１４に固定された留め具２７およびステアリングロッドのキャップ２４は実質的に異なり、他の部品、特にベアリングカップ１８と、外側を一点鎖線で示すその留め具１９は同一である。
【００５５】
ここでは、弾性部品３２は２つの別々の要素（３７,３８）により形成される。これらの部品は、長方形の断面を有する円弧の一部の形状で提示される。多少変更されたキャップ２４を下から見た図を示す図４は、これらの要素（３７,３８）の下長手面３６を示す。これらの要素のそれぞれの中央部３９は、この中央部３９が外スカート２８とスペーサ２２に接触するよう、ここでは放射状内側ステアリングの割り増した厚みにより作られた大きな区分を有する。従って、要素（３７，３８）はヘッドチューブ１２に組み立てられる前にキャップ２４内に保持される。
【００５６】
この異なる実施例において、ステアリングロッド１４に固定された留め具２７は、調整可能停止システム４０に置き換えられる。
【００５７】
先の実施例の様に、弾性帝に変形可能な部品の要素（３７，３８）は第１および第２部分（３３，３４）を有し、これらはヘッドチューブ１２に対して固定される留め具１９と使用中にステアリングロッド１４に固定される留め具４０と連携する周方向の底面にここでは相当するが、これらの位置は調節可能である。第１および第２部分（３３，３４）を有する。これらの調整可能な留め具４０はそれぞれ、キャップ２４の円弧上にスライドして取り付けられるストッパ４１を備える。ねじ棒はキャップ２４内で回転して取り付けられるヘッドと、対応するストッパ４１を支えるスライダ４５と連携するねじ部とを有する。
【００５８】
従って、弾性的に変形可能は部品（３７，３８）は、周方向に圧迫されることなしに、またはわずかに圧迫される間、留め具１９と調整可能な留め具４０との間で、図４に示す位置に配置される。ねじ棒４３は、次にスライダ４５と関連留め具４１をそれぞれ図４に示す矢印の方向に動かすために回転される。弾性部品（３７，３８）は、次に周方向に圧迫され、これによりニュートラル位置の周りの回復トルクを増加させることができるのみならず、エラストマーの必然的圧迫により、第１および第２部（３３，３４）と留め具（１９，４０）の間で、使用中に遊びが生じることを回避することができる。
【００５９】
調節可能な停止部品の他の実施例も、当然可能である。なお、弾性的に変形可能なエラストマー部品は、ノイズ発生を回避するために潤滑油を塗ることが有益であることを留意するべきである。
【００６０】
上記の実施例は、特に街乗りタイプの二輪車を想定しているが、全く限定するものではない。下記特許請求の範囲で定義された本発明の範囲を超えることなく、ステアリングアセンブリ７またはこのアセンブリを備えた二輪車に対する多くの変更が可能である。
【００６１】
既に示された可能性に加えて、内部空間３０を外側で区切るスカート２８が、ステアリングロッド１４を有するアセンブリを形成するためにではなく、むしろヘッドチューブ１２を有するアセンブリを形成するために、ステアリングロッド１４に固定されないことは、特に可能である。例えば、スカートはベアリングカップ１８から外側に延伸した環の形状、もしくはヘッドチューブ１２自体から形成されることが可能である。スカート２８はまた、ヘッドチューブとステアリングロッドを形成するアセンブリの間に配置された独立要素であっても良い。
【図１】
2011213344.tif 000003
【図２】
2011213344.tif 000004
【図３】
2011213344.tif 000005
【図４】
2011213344.tif 000006
【外国語明細書】
2011213344000001.pdf